(57)【要約】  単室を備えた、浸出製品用のフィルタバッグに関するものであって、浸出製品を収容する室を形成しているフィルタ材料の区画（２）を備えているフィルタバッグにおいて、区画（２）が少なくとも、閉じられた第一の上端部（５）と第二の下端部（７）と二つの側面（８，９）とひも（１３）とのうちの少なくとも一つを備えており、第一の上端部（５）は、区画（２）の第一の上端部の二つの縁の間の第一接続部（Ｓ１）により形成されていて、第二の下端部（７）は、フィルタバッグ（１）の底面（１１）を形成するべく設計された第二接続部（Ｓ２）により閉じられており、そして第二の下端部（７）の中央延伸部分を形成するべくお互いに重ね合わされた第二端部の二つの縁（７ａ，７ｂ）により形成されていて、第二端部の二つの縁（７ａ，７ｂ）はお互いに対面して配置され、そして底面（１１）から突出するタブ（１２）を形成するように接続されており、二つの側面（８，９）は第一の上端部（５）及び第二の下端部（７）に接続していて、二つの側面（８，９）それぞれの一部分が室（３）の内側に向う折り目を形成するべくお互いに折り曲げられていて、ひも（１３）は、その一方の端部において結び目（Ａ１）により区画（２）に接続され、そしてその他方の端部において結び目（Ａ２）によりタグ（１４）に接続されており、ひも（１３）は区画（２）を環状に囲んでいる。
2010531277.tif 000002
【特許請求の範囲】
【請求項１】
浸出製品用の単室を備えた、フィルタバッグであって、前記浸出製品を収容する室を形成しているフィルタ材料の区画（２）を備えているフィルタバッグにおいて、前記区画（２）が少なくとも、閉じられた第一の上端部（５）と第二の下端部（７）と二つの側面（８，９）とひも（１３）とを備えており、
前記第一の閉じられた上端部（５）は、前記区画（２）の第一の端部の二つの縁の間の第一接続部（Ｓ１）により形成されていて、
前記第二の下端部（７）は、前記フィルタバッグ（１）の底面（１１）を形成するべく設計された第二接続部（Ｓ２）により閉じられており、そして前記第二の下端部（７）の中央延伸部分を形成するべくお互いに重ね合わされた第二端部の二つの縁（７ａ，７ｂ）により形成されていて、前記第二端部の二つの縁（７ａ，７ｂ）はお互いに対面して配置され、そして前記底面（１１）から突出するタブ（１２）を形成するように接続されており、
前記二つの側面（８，９）は前記第一の上端部（５）及び前記第二の下端部（７）を接続していて、前記二つの側面（８，９）それぞれの一部分が前記室（３）の内側に向う折り目を形成するべくお互いに折り曲げられていて、
前記ひも（１３）は、その一方の端部において結び目（Ａ１）により前記区画（２）に接続され、そしてその他方の端部において結び目（Ａ２）によりタグ（１４）に接続されており、前記ひも（１３）は前記区画（２）を環状に囲んでいる、
フィルタバッグ。
【請求項２】
前記フィルタ材料の区画（２）が濾紙で作られていることを特徴とする、請求項１に記載のフィルタバッグ。
【請求項３】
前記フィルタ材料の区画（２）が生分解性材料で作られていることを特徴とする、請求項１に記載のフィルタバッグ。
【請求項４】
前記フィルタ材料の区画（２）がプラスチック材料で作られていることを特徴とする、請求項１に記載のフィルタバッグ。
【請求項５】
前記フィルタ材料の区画（２）における前記接続部が、第一ヒートシール（Ｓ１）及び第二ヒートシール（Ｓ２）を備えていることを特徴とする、請求項１に記載のフィルタバッグ。
【請求項６】
前記フィルタ材料の区画（２）における前記接続部が、第一接着シール（Ｓ１）及び第二接着シール（Ｓ２）を備えていることを特徴とする、請求項１に記載のフィルタバッグ。
【請求項７】
前記フィルタ材料の区画（２）における前記接続部が、第一超音波シール（Ｓ１）及び第二超音波シール（Ｓ２）を備えていることを特徴とする、請求項１に記載のフィルタバッグ。
【請求項８】
前記フィルタ材料の区画の前記第一の上端部（５）の隅（５ａ，５ｂ）が対称的に角度（α）で傾斜していることを特徴とする、請求項１に記載のフィルタバッグ。
【請求項９】
前記タグ（１４）が取り外し可能に前記フィルタ材料の区画（２）に接続されていることを特徴とする、請求項１に記載のフィルタバッグ。
【請求項１０】
前記タグ（１４）がその最上部にスリット（１４ｆ）を有していて、前記スリット（１４）は前記フィルタ材料の区画（２）に結ばれた前記ひも（１３）の端部分（Ｐ）に係合し、前記区画（２）の前面に接触して前記タグを前記区画（２）に対して保持するようになっていることを特徴とする、請求項１に記載のフィルタバッグ。
【請求項１１】
前記タグ（１４）は、前記タグの上部が前記フィルタ材料の区画（２）の前記上端部（５）から突出するように配置されていることを特徴とする、請求項１に記載のフィルタバッグ。
【請求項１２】
前記タグ（１４）は、前記スリット（１４ｆ）の反対側に中央のへこみ（１４ｇ）を有していて、前記へこみ（１４ｇ）は前記タグをおおって通過する前記ひも（１３）を受容し、前記ひも（１３）が所定位置からずれることを防いでいることを特徴とする、請求項１０に記載のフィルタバッグ。
【発明の詳細な説明】
【技術分野】
【０００１】
本発明は、単室（single-lobe）を備えた、紅茶、コーヒー、カモミール茶等の浸出製品用のフィルタバッグに関する。
【背景技術】
【０００２】
現在の市場においては、前述した製品を水に浸出するためのフィルタバッグ（ティーバッグ）に関して多くの種類のフィルタバッグが提供されている。
【０００３】
最近入手可能になった多くのフィルタバッグは、家庭及び公共の場において、フィルタバッグが消費者に広く使用され、人気があることの結果である。従って、フィルタバッグに係わる、浸出製品を水に浸出させる際の容易性、フィルタバッグの寿命、最終包装の容易性等に関する設計的改善への要求が増大している。
【０００４】
現在使用されているフィルタバッグの主な構造は二つあって、一つは従来型の単室を備えたフィルタバッグ（通常ひもとタグとを備えている）であり、もう一つは最近の二つの突出部を備えた（ひもとタグとを備え、個々の外装を備えている場合も備えていない場合もある）であって、その特徴は液体への接触面積がより大きく、浸出製品からの香りを十分に抽出できることである。
【０００５】
何年にもわたり、二つの構造は各々異なるタイプの濾紙、最近では生分解性材料で作られている。
【０００６】
同じく、フィルタバッグを閉じる方法及びひもやタグを取り付ける方法は製造要求及び国によっては法的基準により多様化している。例えば、ひも、タグ及びフィルタバッグが金属製のステープルにより、又は接着剤により、又はヒートシール性の“アクセサリースタンプ”により、又はひもにステッチ（stitch）を形成することにより、又は接着性のタグを使用することにより閉じられかつ接続されている。
【０００７】
これらのすべてが、フィルタバッグの品質、フィルタバッグの製造方法（フィルタバッグ製造機械）及びユーザの満足度を改善してきた。
【０００８】
しかしながら、現在のフィルタバッグ、特に単室を備えたフィルタバッグ（本発明の対象でもある）は、フィルタバッグの形状に帰因する固有の欠点がある。というのは、フィルタバッグは正確な三次元の特性に欠ける単独の室を有している。それらのもたらす欠点は以下のとおりである。
・製品がフィルタバッグの中に押し込められていて、浸出の際に膨張する空間に欠けており、浸出の適正な品質及びより長時間の浸出が不十分なものとなっていて、
・平坦化のためにフィルタバッグの表面が不格好になっており、
・フィルタバッグは位置決めする際に移動してしまうので包装することが困難となっている。
【０００９】
フィルタバッグの平坦化及び移動は中に入っている製品全体の品質を損ない低下させている。
【発明の概要】
【発明が解決しようとする課題】
【００１０】
本発明は前述の欠点を克服した単室を備えたフィルタバッグを提供するものであって、フィルタバッグの構造は従来の単室を備えたフィルタバッグであり、そして浸出の全体品質を及びフィルタバッグの全体品質を向上すると同時に、フィルタバッグの製造コストを低減するという市場の要求に合った形状となっている。
【課題を解決するための手段】
【００１１】
本発明の課題は、特許請求の範囲に記載した特徴を有している単室を備えた、浸出製品用のフィルタバッグを提供することにより達成されている。
【００１２】
本発明の特徴は、特許請求の範囲に詳述され、本発明の長所は添付図を参照した以下の説明により明確なものとなっている。なお、本説明における実施形態は例示のものであって、本発明の範囲及び概念を限定するものではない。
【図面の簡単な説明】
【００１３】
【図１】図１は、本発明の実施形態による浸出製品用の単室のフィルタバッグを示めす斜視図である。
【図２】図２は、本発明の実施形態による浸出製品用の単室のフィルタバッグを示めす正面図である。
【図３】図３は、本発明の実施形態による浸出製品用の単室のフィルタバッグを示めす側面図である。
【図４】図４は、本発明の実施形態による浸出製品用の単室のフィルタバッグを示めす背面図である。
【図５】図５は、本発明の実施形態による浸出製品用の単室のフィルタバッグを示めす平面図である。
【図６】図６は、本発明の別の実施形態による浸出製品用の単室のフィルタバッグを示めす斜視図である。
【図７】図７は、本発明の別の実施形態による浸出製品用の単室のフィルタバッグを示めす正面図である。
【図８】図８は、本発明の別の実施形態による浸出製品用の単室のフィルタバッグを示めす側面図である。
【図９】図９は、本発明の別の実施形態による浸出製品用の単室のフィルタバッグを示めす背面図である。
【図１０】図１０は、本発明の別の実施形態による浸出製品用の単室のフィルタバッグを示めす平面図である。
【図１１】図１１は、図２の一部分を拡大した詳細図である。
【図１２】図１２は、図４の一部分を拡大した詳細図である。
【発明を実施するための形態】
【００１４】
図１〜１０において、単室のフィルタバッグは、紅茶、コーヒー、カモミール茶のような浸出製品に使用される。
【００１５】
フィルタバッグ１は、浸出製品の入っている室（chamber）３を形成しているフィルタ材料の区画２を有している。
【００１６】
フィルタ材料の区画２は、第一の上端部５、第二の下端部７、及び二つの側面８，９により画成されている四角形の形状であって、二つの側面８，９は上端部及び下端部７を接続している。
【００１７】
図１〜１０に図示されているように、第一の上端部５は閉じられていて、そして区画２の第一の端部の二つの縁の間の第一継手Ｓ１により形成されている。
【００１８】
区画２の第一の上端部５と第二の下端部７とを接続している二つの側面８，９は、（この場合）室３の内側に向かう単独の折り目を形成するためにお互いに一部分が折り曲げられている。
【００１９】
第二の下端部７は、底面１１を形成するべく設計された第二継手Ｓ２により閉じられていて、二つの側面８，９を折り曲げることによりフィルタバッグ１の断面形状をほぼ三角形にしている。
【００２０】
図２〜４及び７〜９において、第二の下端部７は第二の下端部７の中央延伸部分を形成する二つの第二の縁７ａ及び７ｂに作られた継手Ｓ２により形成されている。二つの縁７ａ及び７ｂはお互いに対面するべく折り曲げられた面であって、底面１１から突出するタブ１２を形成するようになっている。
【００２１】
フィルタバッグ１を形成しているフィルタ材料の区画２（図１１，１２参照）は、ひも１３を備えていて、そのひも１３はその一方の端部で結び目Ａ１により区画２に接続されていて、もう一方の端部で結び目Ａ２によりタグ１４に接続されており、ひも１３は区画２を囲んで及び底面１１から突出している（弾性的にひも１３に適合するようになっている）タブ１２を囲んで環状になっている。
【００２２】
タグ１４は、例えばそれを安定させるのに必要なシール（sealing）により取り外し可能にフィルタ材料の区画２に取り付けられている。
【００２３】
しかしながら、すべての場合において、タグ１４を区画２の所定位置に保つために、タグ１４にはスリット１４ｆが設けられていて、そのスリット１４ｆはタグの最頂部に設けられており、フィルタ材料の区画２に結ばれたひも１３の端部Ｐに係合していてひもを区画２に対して保持するようになっている。
【００２４】
ひも１３により支持されるにしても、区画２に取り付けられるにしても、タグ１４は区画２の最上部（閉止シールＳ１が設置されている）に配置され、そしてタグの一部分が区画２から突出していて、タグの突出していない部分はフィルムの管状の区画２の前面に接触している。
【００２５】
タグ１４は、スリット１４ｆの反対側に中央のへこみ１４ｇを有していて、へこみ１４ｇはタグ１４をおおって通過するひも１３を受容しひも１３が所定位置からずれることを防いでいる。
【００２６】
図６〜１０に図示するフィルタバッグ１は、区画２の第一の上端部５の隅５ａ及び５ｂがお互いに対称に角度αで傾斜している。
【００２７】
フィルタバッグ１の製造に関して、フィルタ材料の区画２は濾紙、又は（限定するものではないが、とうもろこしの澱粉のような）生分解性材料、又は（ポリエチレンのような）非生分解性のプラスチック材料からなる。
【００２８】
フィルタ材料の区画２の接続部はヒートシールにより作られた第一のヒートシールＳ１及び第二のヒートシールＳ２からなる。
【００２９】
代りに、接続部は適切な接着剤を用いて作られた第一のシールＳ１及び第二のシールＳ２からなる。
【００３０】
さらに、接続部は超音波シールにより作られた第一の超音波シールＳ１及び第二の超音波シールＳ２からなる。
【００３１】
前述したようにして作られたフィルタバッグは、接続している側面と下端部とにおける特別な形状により、前述した本発明の課題を解決していて、その特別な形状は、フィルタ材料の区画を一定の体積を備えた室を提供するように閉じていて、使用前に製品を簡単かつ安定的に収容するだけではなく、浸出させる際に、チャンバの中で製品が移動し広がることを可能にし、従って優れた製品の浸出を保証し、浸出させる時間を低減している。
【００３２】
このことが、フィルタバッグの製造コストを低減し、かつ製品の品質を高めている。
【００３３】
前述した本発明は、産業上利用できるものであり、本発明の範囲を逸脱することなく修正され種々の分野に応用されてもよい。さらに本発明は技術的に同等なものと取りかえられてもよい。
【図１】
2010531277.tif 000003
【図２】
2010531277.tif 000004
【図３】
2010531277.tif 000005
【図４】
2010531277.tif 000006
【図５】
2010531277.tif 000007
【図６】
2010531277.tif 000008
【図７】
2010531277.tif 000009
【図８】
2010531277.tif 000010
【図９】
2010531277.tif 000011
【図１０】
2010531277.tif 000012
【図１１】
2010531277.tif 000013
【図１２】
2010531277.tif 000014
【国際調査報告】
2010531277.tif 000015
2010531277.tif 000016
2010531277.tif 000017